(57)【要約】【課題】高効率かつ短時間で湯張りを完了できる湯張りシステムを提供する。【解決手段】給湯暖房システム１０は、自然環境から吸熱して、暖房用水及び給湯用水を加熱するヒートポンプユニット５０と、暖房用水を循環させる熱供給循環水路６２と、ヒートポンプユニット５０で加熱された給湯用水を蓄えるタンク２２と、循環ポンプ８２が介装されており、浴槽水を循環させる浴槽水循環路８９と、熱供給循環水路６２内の暖房用水と浴槽水循環路８９内の水とを熱交換する浴槽熱交換器８４と、タンク２２と浴槽水循環路８９とを接続する湯張り水路３６ｃとを備える。制御装置９０は、湯張り運転を行う場合に、ヒートポンプユニット５０で熱供給循環水路６２内の暖房用水を加熱するとともに、浴槽熱交換器８４において、熱供給循環水路６２内の暖房用水の熱で浴槽水循環路８９内の給湯用水を加熱する。【選択図】  図１
2014163663.tif 000002
【特許請求の範囲】
【請求項１】
自然環境から吸熱して、熱媒又は水を加熱するヒートポンプユニットと、
熱媒を循環させる熱媒回路と、
ヒートポンプユニットで加熱された水を蓄えるタンクと、
循環ポンプが介装されており、浴槽内の水を循環させる浴槽水循環路と、
熱媒回路内の熱媒と浴槽水循環路内の水とを熱交換する熱交換器と、
タンクと浴槽水循環路とを接続する湯張り回路と、を備え、
タンクに蓄えられた水を、湯張り回路及び浴槽水循環路を介して浴槽に供給する湯張り運転を行う場合に、ヒートポンプユニットにおいて熱媒回路内の熱媒を加熱するとともに、熱交換器において熱媒回路内の熱媒の熱で浴槽水循環路内の水を加熱する、
湯張りシステム。
【請求項２】
湯張り運転を行う場合に、循環ポンプを駆動させ、浴槽に供給された水を、浴槽水循環路の熱交換器の上流側に戻す、請求項１に記載の湯張りシステム。
【請求項３】
湯張り回路に接続され、湯張り回路内に水道水を供給可能な水道管と、
水道管に設けられ、水道管を開閉する開閉弁と、をさらに備え、
湯張り運転を行う場合に、タンクから湯張り回路に導入される水の温度が、浴槽内の水の温度として要求されている設定温度以上である場合に開閉弁を開き、熱交換器に導入される水の温度を設定温度より低い温度に下げる、請求項１又は２に記載の湯張りシステム。
【発明の詳細な説明】
【技術分野】
【０００１】
本明細書で開示する技術は、湯張りシステムに関する。
【背景技術】
【０００２】
特許文献１に、自然環境から吸熱して水を加熱するヒートポンプユニットと、ヒートポンプユニットで加熱された水を蓄えるタンクと、タンク内の水を浴槽に供給する湯張り回路と、ガスを燃焼した熱によって湯張り回路を通過する水を加熱するバーナとを備える湯張りシステムが開示されている。
【先行技術文献】
【特許文献】
【０００３】
【特許文献１】特開２００９−２９９９４２号公報
【発明の概要】
【発明が解決しようとする課題】
【０００４】
特許文献１の技術では、バーナを用いずに湯張りを行う場合、湯張り運転中にタンク内の熱量が不足し、湯張りに必要な量の設定温度の湯が浴槽に供給できなくなると、タンク内に必要な熱量が蓄えられるまで待たなければならず、湯張り完了までに長時間を要する。一方、湯張り運転中にタンク内の熱量が不足する場合に、バーナを補助熱源として用いて水を加熱して浴槽に供給すれば、湯張り完了までの時間を短縮することができるが、ヒートポンプユニットを熱源とする場合と比べてエネルギー効率が低下する。そのため、本明細書では、高効率かつ短時間で湯張りを行うことができる湯張りシステムを提供する。
【課題を解決するための手段】
【０００５】
本明細書が開示する湯張りシステムは、自然環境から吸熱して、熱媒又は水を加熱するヒートポンプユニットと、熱媒を循環させる熱媒回路と、ヒートポンプユニットで加熱された水を蓄えるタンクと、循環ポンプが介装されており、浴槽内の水を循環させる浴槽水循環路と、熱媒回路内の熱媒と浴槽水循環路内の水とを熱交換する熱交換器と、タンクと浴槽水循環路とを接続する湯張り回路とを備える。湯張りシステムは、タンクに蓄えられた水を、湯張り回路及び浴槽水循環路を介して浴槽に供給する湯張り運転を行う場合に、ヒートポンプユニットにおいて熱媒回路内の熱媒を加熱するとともに、熱交換器において熱媒回路内の熱媒の熱で湯張り回路内の浴槽水循環路を加熱する。
【０００６】
上記の湯張りシステムでは、湯張り運転を行う場合に、ヒートポンプユニットにおいて熱媒回路内の熱媒を加熱するとともに、熱交換器において熱媒回路内の熱媒の熱で浴槽水循環路内の水を加熱し、加熱された水を浴槽に供給することができる。そのため、タンク内に湯張りに必要な熱量が蓄えられていない場合であっても、熱交換器で水を加熱できるので、タンク内に必要な熱量が蓄えられるのを待ってから湯張りを行う必要がない。従って、上記の湯張りシステムによると、従来の湯張りシステムと比べて、エネルギー効率の高いヒートポンプユニットのみを用いて、高効率かつ短時間で湯張りを行うことができる。
【図面の簡単な説明】
【０００７】
【図１】第１実施例に係る給湯暖房システム１０の構成を模式的に示す図。
【図２】湯張り運転時に制御装置９０が実行する処理を示すフローチャート。
【図３】第２実施例に係る給湯暖房システム１０の構成を模式的に示す図。
【図４】第３実施例に係る給湯暖房システム１０の構成を模式的に示す図。
【発明を実施するための形態】
【０００８】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【０００９】
（特徴１）  湯張りシステムは、湯張り運転を行う場合に、循環ポンプを駆動させ、浴槽に供給された水を、浴槽水循環路の熱交換器の上流側に戻してもよい。
【００１０】
この構成によると、湯張り運転を行うとともに、浴槽に供給された水を、浴槽水循環路の熱交換器の上流側に戻し、熱交換器で再度加熱をして浴槽内に戻す運転（追い焚き運転）を並行して行うことができる。そのため、浴槽への必要な湯量の湯張りが完了した後に、追い焚き運転によって浴槽内の水を設定温度に沸かし上げる場合に比べて、より短時間で湯張りを完了させることができる。
【００１１】
（特徴２）  湯張り回路に接続され、湯張り回路内に水道水を供給可能な水道管と、水道管に設けられ、水道管を開閉する開閉弁と、をさらに備えてもよい。湯張りシステムは、湯張り運転を行う場合に、タンクから湯張り回路に導入される水の温度が、浴槽内の水の温度として要求されている設定温度以上である場合に、開閉弁を開き、熱交換器に導入される水の温度を設定温度より低い温度に下げるようにしてもよい。
【００１２】
この構成によると、湯張り運転時にタンク内に設定温度以上の水が蓄えられている場合に、タンクから導出される水と水道水とを混合させて、熱交換器に導入される水の温度を設定温度より低い温度に下げることができる。この場合、熱交換器での加熱により、浴槽に供給される水の温度を、設定温度まで引き上げることができる。従って、上記の構成によると、熱交換器に設定温度より低い温度の水が導入されるため、熱交換器に供給される熱媒の熱を効率よく利用して水を加熱することができる。そのため、より効率良く湯張りを行うことができる。
【００１３】
（第１実施例）
図１に示すように、本実施例に係る給湯暖房システム１０は、ヒートポンプユニット５０と、タンクユニット２０と、暖房ユニット６０と、制御装置９０とを備えている。
【００１４】
ヒートポンプユニット５０は、自然環境から吸熱する熱源である。ヒートポンプユニット５０は、冷媒（例えばＲ４１０ＡといったＨＦＣ冷媒や、Ｒ７４４といったＣＯ２冷媒）を循環させるための冷媒循環路５１と、空気熱交換器（蒸発器）５２と、ファン５６と、圧縮機５３と、三流体熱交換器５４と、膨張弁５５とを備えている。
【００１５】
空気熱交換器５２は、ファン５６によって送風された外気と冷媒循環路５１内の冷媒との間で熱交換させる。後で説明するように、空気熱交換器５２には、膨張弁５５を通過後の低圧低温の液体状態にある冷媒が供給される。空気熱交換器５２は、冷媒と外気とを熱交換させることによって、冷媒を加熱する。冷媒は、加熱されることにより気化し、比較的高温で低圧の気体状態となる。
【００１６】
圧縮機５３には、空気熱交換器５２を通過後の冷媒が供給される。即ち、圧縮機５３には、比較的高温で低圧の気体状態の冷媒が供給される。圧縮機５３によって冷媒が圧縮されることにより、冷媒は高温高圧の気体状態となる。圧縮機５３は、圧縮後の高温高圧の気体状態の冷媒を、三流体熱交換器５４に送り出す。
【００１７】
三流体熱交換器５４は、冷媒循環路５１内の冷媒と、後述のタンク水循環路３０内の水（以下では給湯用水ともいう）との間で熱交換を行うことができる。さらに、三流体熱交換器５４は、冷媒循環路５１内の冷媒と、後述の熱回収水路６３内の水（以下では暖房用水ともいう）との間で熱交換を行うことができる。冷媒は、三流体熱交換器５４での熱交換の結果、熱を奪われて凝縮する。これにより、冷媒は、比較的低温で高圧の液体状態となる。
【００１８】
膨張弁５５には、三流体熱交換器５４を通過後の比較的低温で高圧の液体状態の冷媒が供給される。冷媒は、膨張弁５５を通過することによって減圧され、低温低圧の液体状態となる。膨張弁５５を通過した冷媒は、上記の通り、空気熱交換器５２に送られる。
【００１９】
ヒートポンプユニット５０において、圧縮機５３及びファン５６を作動させると、冷媒循環路５１内の冷媒は、空気熱交換器５２、圧縮機５３、三流体熱交換器５４、膨張弁５５の順に循環する。この場合、三流体熱交換器５４において、タンク水循環路３０内の給湯用水、又は、熱回収水路６３内の暖房用水が加熱される。
【００２０】
タンクユニット２０は、タンク２２を備えている。タンク２２は、ヒートポンプユニット５０によって加熱された給湯用水を貯える。本実施例の給湯用水は、水道水である。タンク２２は、密閉型であり、断熱材によって外側が覆われている。タンク２２内には満水まで給湯用水が貯留される。タンク２２には、サーミスタ２３、２４、２５、２６がタンク２２の高さ方向に略均等間隔で取り付けられている。各サーミスタ２３、２４、２５、２６は、その取付位置の給湯用水の温度を測定する。各サーミスタ２３、２４、２５、２６の検出温度から、タンク２２の蓄熱状態を特定することができる。
【００２１】
タンク水循環路３０は、上流端がタンク２２の下部に接続されており、ヒートポンプユニット５０の三流体熱交換器５４を通過して、下流端がタンク２２の上部に接続されている。タンク水循環路３０には、循環ポンプ３２が介装されている。循環ポンプ３２は、タンク水循環路３０内の給湯用水を上流側から下流側へ送り出す。ヒートポンプユニット５０を作動させて、循環ポンプ３２を駆動すると、タンク２２の下部の給湯用水が三流体熱交換器５４に送られて加熱され、加熱された給湯用水がタンク２２の上部に戻される。タンク２２の内部には、低温の給湯用水の層の上に高温の給湯用水の層が積み重なった温度成層が形成される。
【００２２】
水道水導入路３４は、上流端が給湯暖房システム１０の外部の水道水供給源１１０に接続されている。水道水導入路３４の下流側は、第１導入路３４ａと第２導入路３４ｂに分岐している。第１導入路３４ａの下流端は、タンク２２の下部に接続されている。第２導入路３４ｂの下流端は、第１給湯路３６の途中に接続されている。第１導入路３４ａには、逆止弁３４ｃが介装されている。第２導入路３４ｂには、逆止弁３４ｄが介装されている。
【００２３】
給湯路３６は、上流端がタンク２２の上部に接続されている。上述したように、給湯路３６の途中には、水道水導入路３４の第２導入路３４ｂが接続されている。給湯路３６と第２導入路３４ｂの接続部には、混合弁３６ａが介装されている。混合弁３６ａは、開度を変化させて、タンク２２の上部から給湯路３６へ流入する高温の給湯用水の流量と、第２導入路３４ｂから給湯路３６へ流入する低温の水道水の流量の割合を調整する。第２導入路３４ｂとの接続部より下流側の給湯路３６には、バーナ加熱装置３８が介装されている。バーナ加熱装置３８は、給湯路３６内の給湯用水を加熱する。バーナ加熱装置３８より下流側の給湯路３６は、給湯栓水路３６ｂと湯張り水路３６ｃとに分岐している。分岐部とバーナ加熱装置３８との間には、給湯用水の温度を検出するサーミスタ８５が介装されている。給湯栓水路３６ｂの下流端は給湯栓１００に接続されている。給湯路３６と給湯栓水路３６ｂとの間には、バーナ加熱装置３８をバイパスする流路であるバイパス路４０が設けられている。また、バイパス路４０には、バイパス路４０の開度を調整するためのバイパス制御弁４１が介装されている。湯張り水路３６ｃの下流端は、後述の循環ポンプ８２に接続されている。循環ポンプ８２は、後述の浴槽水循環路８９に介装されている。即ち、湯張り水路３６ｃの下流端は、循環ポンプ８２を介して浴槽水循環路８９の途中に接続されている。また、湯張り水路３６ｃには、開閉弁３６ｄが介装されている。
【００２４】
浴槽水循環路８９は、その上流端と下流端の双方が浴槽１０２に接続されている。浴槽水循環路８９は、浴槽熱交換器８４を通過している。浴槽熱交換器８４では、熱交換水路６８を流れる暖房用水と、浴槽水循環路８９を流れる水の間で熱交換が行われる。浴槽水循環路８９の浴槽熱交換器８４の上流側には、循環ポンプ８２が介装されている。循環ポンプ８２は、浴槽水循環路８９内の浴槽水を下流側へ送り出す。従って、循環ポンプ８２を回転させることにより、浴槽１０２内の浴槽水を、浴槽水循環路８９内で循環させることができる。浴槽水循環路８９の浴槽熱交換器８４の下流側には、サーミスタ８６が介装されている。サーミスタ８６は、浴槽水循環路８９内の水の温度を検出する。
【００２５】
暖房ユニット６０は、熱供給循環水路６２を備えている。熱供給循環水路６２は、浴槽熱交換器８４と、低温暖房機１０４と、高温暖房機１０６に熱を供給する水路である。熱供給循環水路６２は、熱回収水路６３と、シスターン６４と、ポンプ水路６５と、低温暖房水路６６と、バーナ加熱水路６７と、熱交換水路６８と、第１高温暖房水路６９と、第２高温暖房水路７０と、バイパス水路７１を備えている。
【００２６】
シスターン６４は、上部が開放されている容器であり、内部に暖房用水を貯留している。シスターン６４には、熱回収水路６３の下流端と、ポンプ水路６５の上流端が接続されている。シスターン６４内には、熱回収水路６３から暖房用水が流入する。シスターン６４内の暖房用水は、ポンプ水路６５に導入される。
【００２７】
ポンプ水路６５は、下流端が低温暖房水路６６の上流端とバーナ加熱水路６７の上流端に接続されている。ポンプ水路６５には、循環ポンプ６５ａが介装されている。循環ポンプ６５ａは、ポンプ水路６５内の暖房用水を下流側へ送り出す。
【００２８】
低温暖房水路６６は、その下流端が、熱回収水路６３の上流端に接続されている。低温暖房水路６６には、低温暖房機１０４と、開閉弁６６ａが介装されている。低温暖房機１０４は、低温暖房水路６６を通過する暖房用水の熱を利用して、居室を暖房する。開閉弁６６ａは、低温暖房水路６６を開閉する。
【００２９】
また、低温暖房水路６６には、開閉弁６６ａの上流側と低温暖房水路６６の下流側とを接続する暖房バイパス水路６６ｂが形成されている。暖房バイパス水路６６ｂには、開閉弁６６ｃが介装されている。開閉弁６６ｃは、暖房バイパス水路６６ｂを開閉する。
【００３０】
熱回収水路６３は、その下流端がシスターン６４に接続されている。熱回収水路６３は、三流体熱交換器５４を通過している。また、熱回収水路６３には、三流体熱交換器５４の上流側と下流側とを接続する熱交換器バイパス水路６３ａが形成されている。熱交換器バイパス水路６３ａは、流路の直径が大きく、三流体熱交換器５４を通過する水路（熱回収水路６３の一部）より通水抵抗が非常に小さい。熱交換器バイパス水路６３ａの上流端には、調整弁６３ｂが設けられている。調整弁６３ｂは、その開度を変化させることによって、三流体熱交換器５４を通過する暖房用水の流量と、熱交換器バイパス水路６３ａを通過する暖房用水の流量の割合を変化させることができる。
【００３１】
バーナ加熱水路６７は、その下流端が、熱交換水路６８の上流端及び第１高温暖房水路６９の上流端に接続されている。バーナ加熱水路６７には、バーナ加熱装置６７ａが介装されている。バーナ加熱装置６７ａは、バーナ加熱水路６７を通過する暖房用水を加熱する。
【００３２】
熱交換水路６８は、その下流端が、熱回収水路６３の最下流部に接続されている。熱交換水路６８は、浴槽熱交換器８４を通過している。浴槽熱交換器８４では、熱交換水路６８内の暖房用水と、浴槽水循環路８９内の水（給湯用水、浴槽水）との間で熱交換が行われる。熱交換水路６８には、開閉弁６８ａが介装されている。開閉弁６８ａは、熱交換水路６８を開閉する。
【００３３】
第１高温暖房水路６９は、その下流端が、第２高温暖房水路７０の上流端及びバイパス水路７１の上流端に接続されている。第１高温暖房水路６９には、開閉弁６９ａが介装されている。開閉弁６９ａは、第１高温暖房水路６９を開閉する。
【００３４】
第２高温暖房水路７０は、その下流端が、熱回収水路６３の途中（三流体熱交換器５４の下流側）に接続されている。第２高温暖房水路７０には、高温暖房機１０６と開閉弁７０ａが介装されている。高温暖房機１０６は、第２高温暖房水路７０を通過する暖房用水の熱を利用して、居室を暖房する。開閉弁７０ａは、第２高温暖房水路７０を開閉する。
【００３５】
バイパス水路７１は、その下流端が熱回収水路６３の途中（第２高温暖房水路７０の下流端の接続部分の下流側）に接続されている。
【００３６】
制御装置９０は、ヒートポンプユニット５０と、タンクユニット２０と、暖房ユニット６０の各構成要素の動作を制御する。
【００３７】
（給湯暖房システムの動作）
次いで、本実施例の給湯暖房システム１０の動作について説明する。以下では、給湯暖房システム１０が実施する蓄熱運転、給湯運転、湯張り運転、低温暖房運転、高温暖房運転、及び、追い焚き運転について順に説明する。
【００３８】
（蓄熱運転）
蓄熱運転は、タンク２２内の給湯用水をヒートポンプユニット５０で加熱し、高温となった給湯用水をタンク２２に戻す運転である。蓄熱運転を実行する際には、制御装置９０は圧縮機５３及びファン５６を駆動するとともに、循環ポンプ３２を駆動する。
【００３９】
圧縮機５３及びファン５６の駆動により、冷媒循環路５１内の冷媒は、空気熱交換器５２、圧縮機５３、三流体熱交換器５４、膨張弁５５の順に循環する。この場合、三流体熱交換器５４を通過する冷媒循環路５１内の冷媒は、高温高圧の気体状態である。また、循環ポンプ３２の駆動により、タンク水循環路３０内をタンク２２内の給湯用水が循環する。即ち、タンク２２の下部に存在する給湯用水がタンク水循環路３０内に導入され、導入された給湯用水が三流体熱交換器５４を通過する際に、冷媒循環路５１内の冷媒の熱によって加熱され、加熱された給湯用水がタンク２２の上部に戻される。これにより、タンク２２に高温の給湯用水が貯められる。タンク２２の内部が高温の給湯用水で満たされた満蓄状態となると、蓄熱運転を終了する。
【００４０】
（給湯運転）
給湯運転は、タンク２２内の給湯用水を給湯栓１００に供給する運転である。給湯運転は、上記の蓄熱運転と並行して行うこともできる。給湯栓１００が開かれると、水道水供給源１１０からの水圧によって、水道水導入路３４（第１導入路３４ａ）からタンク２２の下部に水道水が流入する。同時に、タンク２２上部の給湯用水が、給湯路３６及び給湯栓水路３６ｂを介して給湯栓１００に供給される。
【００４１】
制御装置９０は、タンク２２から給湯路３６に供給される給湯用水の温度（即ち、サーミスタ２３の検出温度）が、給湯設定温度より高い場合には、混合弁３６ａを駆動して開度を変化させ、第２導入路３４ｂから給湯路３６に水道水を導入する。従って、タンク２２から供給された給湯用水と第２導入路３４ｂから供給された水道水とが、給湯路３６内で混合される。制御装置９０は、給湯栓１００に供給される給湯用水の温度が、給湯設定温度と一致するように、混合弁３６ａの開度を調整する。一方、制御装置９０は、タンク２２から給湯路３６に供給される給湯用水の温度が、給湯設定温度より低い場合には、バーナ加熱装置３８によって給湯路３６を通過する水を加熱する。制御装置９０は、給湯栓１００に供給される給湯用水の温度をサーミスタ８５で検出し、給湯設定温度と一致するように、バーナ加熱装置３８の出力を制御する。
【００４２】
（湯張り運転）
湯張り運転は浴槽１０２に湯張りをする運転である。湯張り運転も、上記の蓄熱運転と並行して行うことができる。本実施例では、制御装置９０は、浴槽熱交換器８４で給湯用水を加熱して浴槽１０２に供給するヒートポンプモード（以下ＨＰモードと呼ぶ）と、浴槽熱交換器８４で給湯用水を加熱することなく浴槽１０２に供給する通常モードの２種類の湯張りモードによって湯張りを実行することができる。
【００４３】
図２に示すように、利用者が湯張り運転の開始を指示すると、給湯暖房システム１０は湯張り運転を開始する。まず、Ｓ１０では、制御装置９０は、利用者によって予め設定されている湯張りモードがＨＰモードであるか否か判断する。湯張りモードがＨＰモードである場合、制御装置９０は、Ｓ１０でＹＥＳと判断し、Ｓ１２に進む。一方、湯張りモードが通常モードである場合、制御装置９０は、Ｓ１０でＮＯと判断し、Ｓ２０に進む。
【００４４】
（ＨＰモード：図２のＳ１２〜Ｓ１８）
Ｓ１２では、まず、制御装置９０は、開閉弁３６ｄを開く。開閉弁３６ｄが開くと、水道水供給源１１０からの水圧によって、水道水導入路３４（第１導入路３４ａ）からタンク２２の下部に水道水が流入する。同時に、タンク２２上部の給湯用水が、給湯路３６、湯張り水路３６ｃ、及び、浴槽水循環路８９を介して浴槽１０２に供給される。さらに、制御装置９０は、循環ポンプ８２を作動させる。これにより、浴槽１０２に供給された浴槽水が、浴槽水循環路８９内を循環する。さらに、制御装置９０は、湯張り設定温度に応じて調整弁６３ｂの開度を調整し、循環ポンプ６５ａを回転させるとともに、開閉弁６６ｃ及び開閉弁６８ａを開く。これにより、シスターン６４から、ポンプ水路６５、バーナ加熱水路６７、及び、熱交換水路６８を経てシスターン６４に戻る流路を暖房用水が循環する。さらに、シスターン６４から、ポンプ水路６５、低温暖房水路６６、暖房バイパス水路６６ｂ、及び、熱回収水路６３を経てシスターン６４に戻る流路内でも暖房用水が循環する。さらに、制御装置９０は、圧縮機５３及びファン５６を駆動する。この結果、三流体熱交換器５４で加熱された暖房用水が、シスターン６４を経て、浴槽熱交換器８４に供給される。これにより、浴槽水循環路８９内を通過する水（給湯用水及び浴槽水）は、浴槽熱交換器８４で暖房用水との熱交換によって加熱される。加熱された水は、浴槽１０２に供給される。
【００４５】
次いで、Ｓ１４では、制御装置９０は、サーミスタ２３の検出温度（即ち、タンク２２から給湯路３６に導出される水の温度）が、湯張り設定温度以上であるか否か判断する。サーミスタ２３の検出温度が湯張り設定温度以上である場合、制御装置９０は、Ｓ１４でＹＥＳと判断し、Ｓ１６に進む。一方、サーミスタ２３の検出温度が湯張り設定温度より低い場合、制御装置９０は、Ｓ１４でＮＯと判断し、Ｓ１６をスキップしてＳ１８に進む。
【００４６】
Ｓ１６では、制御装置９０は、混合弁３６ａを駆動して開度を変化させ、第２導入路３４ｂから給湯路３６に水道水を導入する。従って、タンク２２から供給された給湯用水と第２導入路３４ｂから供給された水道水とが、給湯路３６内で混合され、湯張り水路３６ｃ及び浴槽水循環路８９に供給される。この際、制御装置９０は、サーミスタ８５で検出される水の温度が、湯張り設定温度より低くなるように、混合弁３６ａの開度を調整する。より詳しく言うと、制御装置９０は、サーミスタ８５で検出される水の温度が、浴槽熱交換器８４で加熱されることによって湯張り設定温度まで引き上げられる程度の低温になるように、混合弁３６ａの開度を調整する。この結果、湯張り設定温度より低い温度の浴槽水循環路８９内の水は、浴槽熱交換器８４で湯張り設定温度まで加熱され、浴槽１０２に供給される。従って、浴槽熱交換器８４に供給される暖房用水の熱を効率よく利用して水を加熱することができる。そのため、高効率で湯張りを行うことができる。
【００４７】
続くＳ１８では、制御装置９０は、設定湯量の供給が完了することを監視する。設定湯量の供給が完了していない場合、制御装置９０は、Ｓ１８でＮＯと判断してＳ１４に戻る。戻った先のＳ１４でＹＥＳと判断される場合であって、既に、混合弁３６ａが第２導入路３４ｂから給湯路３６に水道水を導入する開度に調整されている場合（即ち、前回のＳ１４でもＹＥＳと判断された場合）には、制御装置９０は、混合弁３６ａを、第２導入路３４ｂから給湯路３６に水道水を導入する開度に引き続き調整する。一方、戻った先のＳ１４でＮＯと判断される場合であって、既に混合弁３６ａが第２導入路３４ｂから給湯路３６に水道水を導入する開度に調整されている場合（例えば、前回までのＳ１４でＹＥＳと判断されていたが、湯張り運転を継続した結果、タンク２２内の高温の水が減少し、今回のＳ１４でＮＯと判断された場合）には、制御装置９０は、混合弁３６ａを駆動して開度を変化させ、第２導入路３４ｂから給湯路３６への水道水の導入を停止させる。これにより、浴槽熱交換器８４に供給される水の温度が低温になり過ぎることを抑制することができる。制御装置９０は、設定湯量の供給が完了するまで、上記Ｓ１４、Ｓ１６、Ｓ１８の処理を繰り返す。設定湯量の供給が完了すると、制御装置９０は、Ｓ１８でＹＥＳと判断し、湯張り運転を終了する。
【００４８】
（通常モード：図２のＳ２０〜Ｓ２８）
一方、Ｓ２０では、まず、制御装置９０は、開閉弁３６ｄを開く。開閉弁３６ｄが開くと、上記のＳ１２と同様に、水道水供給源１１０からの水圧によって、水道水導入路３４（第１導入路３４ａ）からタンク２２の下部に水道水が流入する。同時に、タンク２２上部の給湯用水が、給湯路３６、湯張り水路３６ｃ、浴槽水循環路８９を介して浴槽１０２に供給される。
【００４９】
次いで、Ｓ２２では、制御装置９０は、サーミスタ２３の検出温度（即ち、タンク２２から給湯路３６に導出される水の温度）が、湯張り設定温度より高いか否か判断する。サーミスタ２３の検出温度が湯張り設定温度より高い場合、制御装置９０は、Ｓ２２でＹＥＳと判断し、Ｓ２４に進む。一方、サーミスタ２３の検出温度が湯張り設定温度以下である場合、制御装置９０は、Ｓ２２でＮＯと判断し、Ｓ２６に進む。
【００５０】
Ｓ２４では、制御装置９０は、混合弁３６ａを駆動して開度を変化させ、第２導入路３４ｂから給湯路３６に水道水を導入する。従って、タンク２２から供給された給湯用水と第２導入路３４ｂから供給された水道水とが、給湯路３６内で混合され、湯張り水路３６ｃ及び浴槽水循環路８９に供給される。この際、制御装置９０は、サーミスタ８５で検出される水の温度が、湯張り設定温度と一致するように、混合弁３６ａの開度を調整する。この結果、湯張り設定温度の水が、浴槽１０２に供給される。Ｓ２４の制御を終えると、Ｓ２８に進む。
【００５１】
一方、Ｓ２６では、制御装置９０は、バーナ加熱装置３８を作動させ、給湯路３６を通過する給湯用水を加熱する。制御装置９０は、サーミスタ８５で検出される水の温度が、湯張り設定温度と一致するように、バーナ加熱装置３８の出力を制御する。Ｓ２６の制御を終えると、Ｓ２８に進む。
【００５２】
Ｓ２８では、制御装置９０は、設定湯量の供給が完了することを監視する。設定湯量の供給が完了していない場合、制御装置９０は、Ｓ２８でＮＯと判断してＳ２２に戻る。戻った先のＳ２２でＹＥＳと判断される場合であって、既に混合弁３６ａが第２導入路３４ｂから給湯路３６に水道水を導入する開度に調整されている場合（即ち、前回のＳ２２でもＹＥＳと判断された場合）には、制御装置９０は、混合弁３６ａを引き続き第２導入路３４ｂから給湯路３６に水道水を導入する開度に調整する。一方、戻った先のＳ２２でＮＯと判断される場合であって、既に混合弁３６ａが第２導入路３４ｂから給湯路３６に水道水を導入する開度に調整されている場合（例えば、前回までのＳ２２でＹＥＳと判断されていたが、湯張り運転を継続した結果、タンク２２内の高温の水が減少し、今回のＳ２２でＮＯと判断された場合）には、制御装置９０は、混合弁３６ａを駆動して開度を変化させ、第２導入路３４ｂから給湯路３６への水道水の導入を停止させるとともに、バーナ加熱装置３８を作動させる。制御装置９０は、設定湯量の供給が完了するまで、上記Ｓ２２、Ｓ２４、Ｓ２６、Ｓ２８の処理を繰り返す。設定湯量の供給が完了すると、制御装置９０は、Ｓ２８でＹＥＳと判断し、湯張り運転を終了する。
【００５３】
（低温暖房運転）
低温暖房運転は、低温暖房機１０４を用いて居室を暖房する運転である。利用者によって低温暖房運転の実行が指示されると、制御装置９０は、調整弁６３ｂの開度を低温暖房機１０４の負荷に応じて調整し、循環ポンプ６５ａを回転させる。さらに、制御装置９０は、開閉弁６６ａを開く。これにより、シスターン６４からポンプ水路６５、低温暖房水路６６、及び、熱回収水路６３を経てシスターン６４に戻る流路内を暖房用水が循環する。さらに、制御装置９０は、圧縮機５３及びファン５６を駆動する。この結果、三流体熱交換器５４で加熱された暖房用水が、シスターン６４を経て、低温暖房機１０４に供給される。さらに、制御装置９０は、必要に応じてバーナ加熱装置６７ａを作動するとともに、開閉弁６９ａを開く。これにより、シスターン６４から、ポンプ水路６５、バーナ加熱水路６７、第１高温暖房水路６９、バイパス水路７１、及び、熱回収水路６３を経てシスターン６４に戻る流路内を暖房用水が循環する。この結果、低温暖房機１０４には、バーナ加熱装置６７ａでの加熱によってより高温となった暖房用水が供給される。低温暖房運転においては、低温暖房機１０４に供給される暖房用水の温度が低温暖房設定温度となるように、調整弁６３ｂの開度、ヒートポンプユニット５０の動作、及び、バーナ加熱装置６７ａの出力が調整される。
【００５４】
（高温暖房運転）
続いて、高温暖房運転について説明する。高温暖房運転は、高温暖房機１０６を用いて居室を暖房する運転である。利用者によって高温暖房運転の実行が指示されると、制御装置９０は、調整弁６３ｂの開度を高温暖房機１０６の負荷に応じて調整し、循環ポンプ６５ａを回転させる。さらに、制御装置９０は、開閉弁７０ａ、開閉弁６９ａ、及び、開閉弁６６ｃを開く。これにより、シスターン６４から、ポンプ水路６５、バーナ加熱水路６７、第１高温暖房水路６９、第２高温暖房水路７０、及び、熱回収水路６３を経てシスターン６４に戻る流路を暖房用水が循環する。それとともに、シスターン６４からポンプ水路６５、低温暖房水路６６、暖房バイパス水路６６ｂ、及び、熱回収水路６３を経てシスターン６４に戻る流路内でも暖房用水が循環する。さらに、制御装置９０は、圧縮機５３及びファン５６を駆動する。この結果、三流体熱交換器５４で加熱された暖房用水が、シスターン６４を経て、高温暖房機１０６に供給される。さらに、制御装置９０は、必要に応じてバーナ加熱装置６７ａを作動する。これにより、高温暖房機１０６には、バーナ加熱装置６７ａでの加熱によってより高温となった暖房用水が供給される。高温暖房運転においても、高温暖房機１０６に供給される暖房用水の温度が高温暖房設定温度となるように、調整弁６３ｂの開度や、ヒートポンプユニット５０の動作や、バーナ加熱装置６７ａの出力が調整される。なお、上記の低温暖房運転と高温暖房運転とを同時に行うこともできる。その場合も、制御装置９０は、低温暖房設定温度及び高温暖房設定温度に応じて、調整弁６３ｂの開度、ヒートポンプユニット５０の動作、及び、バーナ加熱装置６７ａの出力を調整する。
【００５５】
（追い焚き運転）
追い焚き運転は、浴槽１０２に貯められた浴槽水を追い焚きする運転である。利用者によって追い焚き運転の実行が指示されると、制御装置９０は、循環ポンプ８２を駆動する。これにより、浴槽水循環路８９内を浴槽水が循環する。また、制御装置９０は、循環ポンプ６５ａを回転させ、サーミスタ８６が検出する温度に応じて調整弁６３ｂの開度を調整する。さらに、制御装置９０は、開閉弁６６ｃ及び開閉弁６８ａを開く。これにより、シスターン６４から、ポンプ水路６５、バーナ加熱水路６７、及び、熱交換水路６８を経てシスターン６４に戻る流路を暖房用水が循環する。さらに、シスターン６４から、ポンプ水路６５、低温暖房水路６６、暖房バイパス水路６６ｂ、及び、熱回収水路６３を経てシスターン６４に戻る流路内でも暖房用水が循環する。さらに、制御装置９０は、圧縮機５３及びファン５６を駆動する。これにより、三流体熱交換器５４で加熱された暖房用水が、シスターン６４を経て、浴槽熱交換器８４に供給される。これにより、浴槽水循環路８９内を通過する浴槽水は、浴槽熱交換器８４で暖房用水との熱交換によって加熱される。加熱された浴槽水は、浴槽１０２に戻される。さらに、制御装置９０は、必要に応じてバーナ加熱装置６７ａを作動する。これにより、浴槽熱交換器８４には、バーナ加熱装置６７ａでの加熱によってより高温となった暖房用水が供給される。追い焚き運転においても、制御装置９０は、必要に応じて、調整弁６３ｂの開度や、ヒートポンプユニット５０の動作や、バーナ加熱装置６７ａの出力を調整する。
【００５６】
以上、本実施例の給湯暖房システム１０の構成及び運転内容について説明した。本実施例では、図２のＳ１２に示すように、ＨＰモードで湯張り運転を行う場合に、制御装置９０は、開閉弁３６ｄ、６６ｃ、６８ａを開くとともに、圧縮機５３及びファン５６を駆動する。これにより、ヒートポンプユニット５０で熱供給循環水路６２内の暖房用水を加熱するとともに、浴槽熱交換器８４において、熱供給循環水路６２内の暖房用水の熱で浴槽水循環路８９を通過する水を加熱した上で浴槽１０２に供給することができる。そのため、タンク２２内に湯張りに必要な熱量が蓄えられていない場合であっても、浴槽熱交換器８４で水を加熱できるため、タンク２２内に必要な熱量が蓄えられるのを待ってから湯張りを行う必要がない。従って、湯張り運転時に、浴槽熱交換器８４で水の加熱を行わない従来のシステムと比べて、湯張り完了までの時間を短縮できる。また、バーナ加熱装置３８を補助熱源として用いずに上記の湯張りを行えるため、エネルギー効率も高い。従って、本実施例の給湯暖房システム１０によると、従来のシステムと比べて、高効率かつ短時間で湯張りを行うことができる。
【００５７】
本実施例の給湯暖房システム１０では、図２のＳ１２に示すように、ＨＰモードで湯張り運転を行う場合に、制御装置９０は、開閉弁３６ｄ、６６ｃ、６８ａを開き、圧縮機５３及びファン５６を駆動するとともに、循環ポンプ８２を作動させる。これにより、浴槽１０２に供給された浴槽水を、浴槽水循環路８９内で循環させることができる。即ち、浴槽１０２への湯張り運転を行うとともに、浴槽１０２に供給された浴槽水を、浴槽水循環路８９の浴槽熱交換器８４の上流側に戻し、浴槽熱交換器８４で再度加熱をして浴槽１０２内に戻す追い焚き運転を並行して行うことができる。そのため、浴槽１０２への必要な湯量の湯張りが完了した後に、追い焚き運転によって浴槽１０２内の水を設定温度に沸かし上げる場合に比べて、より短時間で湯張りを完了させることができる。
【００５８】
本実施例の給湯暖房システム１０は、図１に示すように、給湯路３６に水道水を供給可能な第２導入路３４ｂと、混合弁３６ａとを備える。また、本実施例では、図２のＳ１４、Ｓ１６に示すように、ＨＰモードで湯張り運転を行う場合に、制御装置９０は、サーミスタ２３の検出温度（即ち、タンク２２から導出される水の温度）が、湯張り設定温度以上である場合、混合弁３６ａを駆動して給湯路３６に水道水を供給し、浴槽熱交換器８４に供給される水の温度を湯張り設定温度より低い温度（浴槽熱交換器８４で加熱されることによって湯張り設定温度まで引き上げられる程度の低温）に下げる。この場合、浴槽熱交換器８４での加熱により、浴槽１０２に供給される水の温度を、湯張り設定温度まで引き上げることができる。従って、本実施例の給湯暖房システム１０によると、浴槽熱交換器８４に湯張り設定温度より低い温度の水が導入されるため、浴槽熱交換器８４に供給される暖房用水の熱を効率よく利用して浴槽水循環路８９を通過する水を加熱することができる。そのため、より効率良く湯張りを行うことができる。
【００５９】
ここで、実施例の記載と請求項の記載との対応関係を説明しておく。暖房用水が循環する熱供給循環水路６２（熱回収水路６３、シスターン６４、ポンプ水路６５、低温暖房水路６６、バーナ加熱水路６７、熱交換水路６８、第１高温暖房水路６９、第２高温暖房水路７０、バイパス水路７１）が、「熱媒回路」の一例である。暖房用水が「暖房用熱媒」の一例である。湯張り水路３６ｃが「湯張り回路」の一例である。第２導入路３４ｂ、混合弁３６ａが、それぞれ、「水道管」、「開閉弁」の一例である。
【００６０】
（第２実施例）
第２実施例について、第１実施例と異なる点を中心に説明する。図３に示すように、本実施例の給湯暖房システム１０も、その基本的な構成は第１実施例の給湯暖房システム１０（図１参照）と共通する。図３に示すように、本実施例では、浴槽水循環路８９は、浴槽熱交換器８４（以下、本実施例では「第１浴槽熱交換器８４」と呼ぶ）に加えて、第２浴槽熱交換器２００を通過している点、及び、熱供給循環水路６２が、熱交換水路６８（以下、本実施例では「第１熱交換水路６８」と呼ぶ）のほかに、第２熱交換水路２０２を備えている点が、第１実施例とは異なる。以下に詳細を説明する。
【００６１】
上記の通り、本実施例では、浴槽水循環路８９は、第１浴槽熱交換器８４に加えて、第２浴槽熱交換器２００を通過している。第２浴槽熱交換器２００は、浴槽水循環路８９の第１浴槽熱交換器８４の下流側に備えられている。浴槽水循環路８９の第２浴槽熱交換器２００の下流側には、サーミスタ８６が介装されている。
【００６２】
また、本実施例では、熱供給循環水路６２は、第１浴槽熱交換器８４と、第２浴槽熱交換器２００と、低温暖房機１０４と、高温暖房機１０６に熱を供給する水路である。熱供給循環水路６２は、熱回収水路６３と、シスターン６４と、ポンプ水路６５と、低温暖房水路６６と、バーナ加熱水路６７と、第１熱交換水路６８と、第２熱交換水路２０２と、第１高温暖房水路６９と、第２高温暖房水路７０と、バイパス水路７１を備えている。
【００６３】
図３に示すように、本実施例では、熱回収水路６３は、その下流端が、第２熱交換水路２０２の上流端に接続されている。また、熱交換器バイパス水路６３ａの下流端も、第２熱交換水路２０２の上流端に接続されている。
【００６４】
第２熱交換水路２０２は、その下流端がシスターン６４に接続されている。第２熱交換水路２０２は、第２浴槽熱交換器２００を通過している。第２浴槽熱交換器２００では、第２熱交換水路２０２内の暖房用水と、浴槽水循環路８９内の水（給湯用水、浴槽水）との間で熱交換が行われる。なお、本実施例では、第２高温暖房水路７０の下流端は、第２熱交換水路２０２の途中に接続されている。また、バイパス水路７１の下流端も、第２熱交換水路２０２の途中に接続されている。
【００６５】
本実施例の給湯暖房システム１０の動作について説明する。本実施例の給湯暖房システム１０が実施する各運転の内容は、基本的に第１実施例と同様である。ただし、本実施例では、湯張り運転、及び、追い焚き運転の内容の一部が、第１実施例とは異なる。
【００６６】
（湯張り運転）
本実施例でも、図２のＳ１０では、制御装置９０は、利用者によって予め設定されている湯張りモードがＨＰモードであるか否か判断する。Ｓ１０の処理の内容は、第１実施例と同様である。Ｓ１０でＹＥＳの場合（ＨＰモードの場合）、Ｓ１２に進み、Ｓ１０でＮＯの場合（通常モードの場合）、Ｓ２０に進む。
【００６７】
（ＨＰモード：図２のＳ１２〜Ｓ１８）
Ｓ１２では、まず、制御装置９０は、開閉弁３６ｄを開く。開閉弁３６ｄが開くと、水道水供給源１１０からの水圧によって、水道水導入路３４（第１導入路３４ａ）からタンク２２の下部に水道水が流入する。同時に、タンク２２上部の給湯用水が、給湯路３６、湯張り水路３６ｃ、及び、浴槽水循環路８９を介して浴槽１０２に供給される。さらに、制御装置９０は、循環ポンプ８２を作動させる。これにより、浴槽１０２に供給された浴槽水が、浴槽水循環路８９内を循環する。さらに、制御装置９０は、湯張り設定温度に応じて調整弁６３ｂの開度を調整し、循環ポンプ６５ａを回転させるとともに、開閉弁６６ｃ及び開閉弁６８ａを開く。これにより、シスターン６４から、ポンプ水路６５、バーナ加熱水路６７、及び、第１熱交換水路６８を経てシスターン６４に戻る流路を暖房用水が循環する。さらに、本実施例では、シスターン６４から、ポンプ水路６５、低温暖房水路６６、暖房バイパス水路６６ｂ、熱回収水路６３、及び、第２熱交換水路２０２を経てシスターン６４に戻る流路内でも暖房用水が循環する。さらに、制御装置９０は、圧縮機５３及びファン５６を駆動する。この結果、三流体熱交換器５４で加熱された暖房用水は、まず、第２浴槽熱交換器２００に供給される。次いで、第２浴槽熱交換器２００を通過した暖房用水は、シスターン６４を経て、第１浴槽熱交換器８４に供給される。これにより、浴槽水循環路８９内を通過する水（給湯用水及び浴槽水）は、第１浴槽熱交換器８４及び第２浴槽熱交換器２００において、暖房用水との熱交換によって加熱される。加熱された水は、浴槽１０２に供給される。
【００６８】
続くＳ１４の処理の内容は、第１実施例と同様である。Ｓ１４でＹＥＳの場合、Ｓ１６に進み、Ｓ１４でＮＯの場合、Ｓ１６をスキップしてＳ１８に進む。
【００６９】
本実施例でも、Ｓ１６では、制御装置９０は、混合弁３６ａを駆動して開度を変化させ、第２導入路３４ｂから給湯路３６に水道水を導入する。この際、制御装置９０は、サーミスタ８５で検出される水の温度が、湯張り設定温度より低くなるように、混合弁３６ａの開度を調整する。本実施例では、制御装置９０は、サーミスタ８５で検出される水の温度が、第１浴槽熱交換器８４及び第２浴槽熱交換器２００で加熱されることによって湯張り設定温度まで引き上げられる程度の低温になるように、混合弁３６ａの開度を調整する。この結果、湯張り設定温度より低い温度の浴槽水循環路８９内の水は、第１浴槽熱交換器８４及び第２浴槽熱交換器２００で湯張り設定温度まで加熱され、浴槽１０２に供給される。
【００７０】
続くＳ１８では、制御装置９０は、設定湯量の供給が完了することを監視する。Ｓ１８の処理の内容も、第１実施例と同様である。Ｓ１８でＹＥＳの場合、湯張り運転を終了し、Ｓ１８でＮＯの場合、Ｓ１４に戻る。
【００７１】
（通常モード：図２のＳ２０〜Ｓ２８）
Ｓ２０〜Ｓ２８の各処理の内容も、第１実施例と同様であるため、詳しい説明を省略する。
【００７２】
（追い焚き運転）
利用者によって追い焚き運転の実行が指示されると、制御装置９０は、循環ポンプ８２を駆動する。これにより、浴槽水循環路８９内を浴槽水が循環する。また、制御装置９０は、循環ポンプ６５ａを回転させ、サーミスタ８６が検出する温度に応じて調整弁６３ｂの開度を調整する。さらに、制御装置９０は、開閉弁６６ｃ及び開閉弁６８ａを開く。これにより、シスターン６４から、ポンプ水路６５、バーナ加熱水路６７、及び、第１熱交換水路６８を経てシスターン６４に戻る流路を暖房用水が循環する。さらに、本実施例では、シスターン６４から、ポンプ水路６５、低温暖房水路６６、暖房バイパス水路６６ｂ、熱回収水路６３、及び、第２熱交換水路２０２を経てシスターン６４に戻る流路内でも暖房用水が循環する。さらに、制御装置９０は、圧縮機５３及びファン５６を駆動する。これにより、三流体熱交換器５４で加熱された暖房用水は、まず、第２浴槽熱交換器２００に供給される。次いで、第２浴槽熱交換器２００を通過した暖房用水は、シスターン６４を経て、第１浴槽熱交換器８４に供給される。これにより、浴槽水循環路８９内を通過する水（給湯用水及び浴槽水）は、第１浴槽熱交換器８４及び第２浴槽熱交換器２００において、暖房用水との熱交換によって加熱される。加熱された水は、浴槽１０２に供給される。さらに、制御装置９０は、必要に応じてバーナ加熱装置６７ａを作動する。これにより、第１浴槽熱交換器８４には、バーナ加熱装置６７ａでの加熱によってより高温となった暖房用水が供給される。制御装置９０は、必要に応じて、調整弁６３ｂの開度や、ヒートポンプユニット５０の動作や、バーナ加熱装置６７ａの出力を調整する。
【００７３】
以上、本実施例の給湯暖房システム１０の構成及び運転内容について説明した。本実施例の給湯暖房システム１０は、第１浴槽熱交換器８４に加えて、第２浴槽熱交換器２００を有している。三流体熱交換器５４で加熱された暖房用水は、まず、第２浴槽熱交換器２００に供給される。次いで、第２浴槽熱交換器２００を通過した暖房用水は、シスターン６４を経て、第１浴槽熱交換器８４に供給される。これにより、浴槽水循環路８９内を通過する水（給湯用水及び浴槽水）は、第１浴槽熱交換器８４及び第２浴槽熱交換器２００において、暖房用水との熱交換によって加熱される。より詳しく言うと、本実施例では、第２浴槽熱交換器２００を通過した後の暖房用水が、シスターン６４を経て、第１浴槽熱交換器８４に供給され、浴槽水循環路８９内を通過する水（給湯用水及び浴槽水）との熱交換に利用される。即ち、第２浴槽熱交換器２００を通過した後の暖房用水の余熱により、浴槽水循環路８９内を通過する水が加熱される。また、本実施例では、三流体熱交換器５４で加熱された直後の高温の暖房用水が、第２浴槽熱交換器２００に供給され、浴槽水循環路８９内を通過する水（給湯用水及び浴槽水）との熱交換に利用される。そのため、第２浴槽熱交換器２００では、第１浴槽熱交換器８４で予め加熱された後の水（給湯用水及び浴槽水）を、さらに加熱することができる。即ち、本実施例では、第１浴槽熱交換器８４と第２浴槽熱交換器２００とによって、２段階で浴槽水循環路８９内を通過する水を加熱することができる。三流体熱交換器５４で加熱された暖房用水の熱を効率的に用いて浴槽水循環路８９内を通過する水を加熱することができる。また、浴槽熱交換器が１つのみ設けられている場合に比べ、三流体熱交換器５４に供給される暖房用水の温度も低くすることができるため、三流体熱交換器５４での暖房用水の加熱効率も良くなる。
【００７４】
（第３実施例）
第３実施例について、第２実施例と異なる点を中心に説明する。図４に示すように、本実施例の給湯暖房システム１０も、その基本的な構成は第２実施例の給湯暖房システム１０（図３参照）と共通する。ただし、図４に示すように、本実施例では、第２熱交換水路２０２に開閉弁２０６が介装されている。開閉弁２０６は、第２熱交換水路２０２を開閉する。さらに、本実施例では、第２熱交換水路２０２に、第２浴槽熱交換器２００の上流側と下流側とを接続する熱交換器バイパス水路２０４が形成されている。熱交換器バイパス水路２０４には、開閉弁２０８が介装されている。開閉弁２０８は、熱交換器バイパス水路２０４を開閉する。
【００７５】
本実施例の給湯暖房システム１０の動作について説明する。本実施例の給湯暖房システム１０が実施する各運転の内容は、基本的に第２実施例と同様であるが、本実施例では、湯張り運転、追い焚き運転、低温暖房運転、及び、高温暖房運転において、制御装置９０が、運転状況に応じて開閉弁２０６、２０８を開閉する点が第２実施例とは異なる。
【００７６】
（湯張り運転）
本実施例の湯張り運転でも、制御装置９０は、図２に示す各処理を実行する。本実施例の湯張り運転では、図２のＳ１２における開閉弁２０６、２０８の開閉動作以外の処理は、第２実施例と共通する。
【００７７】
即ち、図２のＳ１２では、まず、制御装置９０は、開閉弁３６ｄを開く。開閉弁３６ｄが開くと、水道水供給源１１０からの水圧によって、水道水導入路３４（第１導入路３４ａ）からタンク２２の下部に水道水が流入する。同時に、タンク２２上部の給湯用水が、給湯路３６、湯張り水路３６ｃ、及び、浴槽水循環路８９を介して浴槽１０２に供給される。さらに、制御装置９０は、循環ポンプ８２を作動させる。これにより、浴槽１０２に供給された浴槽水が、浴槽水循環路８９内を循環する。さらに本実施例では、制御装置９０は、湯張り設定温度に応じて調整弁６３ｂの開度を調整し、循環ポンプ６５ａを回転させるとともに、開閉弁６６ｃ、開閉弁６８ａ、及び、開閉弁２０６を開く。この際、開閉弁２０８は開かない。これにより、シスターン６４から、ポンプ水路６５、バーナ加熱水路６７、及び、第１熱交換水路６８を経てシスターン６４に戻る流路を暖房用水が循環する。さらに、本実施例では、シスターン６４から、ポンプ水路６５、低温暖房水路６６、暖房バイパス水路６６ｂ、熱回収水路６３、及び、第２熱交換水路２０２を経てシスターン６４に戻る流路内でも暖房用水が循環する。さらに、制御装置９０は、圧縮機５３及びファン５６を駆動する。この結果、三流体熱交換器５４で加熱された暖房用水は、まず、第２浴槽熱交換器２００に供給される。次いで、第２浴槽熱交換器２００を通過した暖房用水は、シスターン６４を経て、第１浴槽熱交換器８４に供給される。これにより、浴槽水循環路８９内を通過する水（給湯用水及び浴槽水）は、第１浴槽熱交換器８４及び第２浴槽熱交換器２００において、暖房用水との熱交換によって加熱される。加熱された水は、浴槽１０２に供給される。
【００７８】
（追い焚き運転）
利用者によって追い焚き運転の実行が指示されると、制御装置９０は、循環ポンプ８２を駆動する。これにより、浴槽水循環路８９内を浴槽水が循環する。また、制御装置９０は、循環ポンプ６５ａを回転させ、サーミスタ８６が検出する温度に応じて調整弁６３ｂの開度を調整する。さらに、制御装置９０は、開閉弁６６ｃ、開閉弁６８ａ、及び、開閉弁２０６を開く。この際、開閉弁２０８は開かない。これにより、シスターン６４から、ポンプ水路６５、バーナ加熱水路６７、及び、第１熱交換水路６８を経てシスターン６４に戻る流路を暖房用水が循環する。さらに、本実施例では、シスターン６４から、ポンプ水路６５、低温暖房水路６６、暖房バイパス水路６６ｂ、熱回収水路６３、及び、第２熱交換水路２０２を経てシスターン６４に戻る流路内でも暖房用水が循環する。さらに、制御装置９０は、圧縮機５３及びファン５６を駆動する。これにより、三流体熱交換器５４で加熱された暖房用水は、まず、第２浴槽熱交換器２００に供給される。次いで、第２浴槽熱交換器２００を通過した暖房用水は、シスターン６４を経て、第１浴槽熱交換器８４に供給される。これにより、浴槽水循環路８９内を通過する水（給湯用水及び浴槽水）は、第１浴槽熱交換器８４及び第２浴槽熱交換器２００において、暖房用水との熱交換によって加熱される。加熱された水は、浴槽１０２に供給される。さらに、制御装置９０は、必要に応じてバーナ加熱装置６７ａを作動する。これにより、第１浴槽熱交換器８４には、バーナ加熱装置６７ａでの加熱によってより高温となった暖房用水が供給される。制御装置９０は、必要に応じて、調整弁６３ｂの開度や、ヒートポンプユニット５０の動作や、バーナ加熱装置６７ａの出力を調整する。また、制御装置９０は、バーナ加熱装置６７ａを作動させる場合に、開閉弁２０８を開くことができる。また、制御装置９０は、バーナ加熱装置６７ａの出力に応じて、開閉弁２０８を開くとともに、開閉弁２０６を閉じることもできる。開閉弁２０８を開くことにより、熱交換器バイパス水路２０４が開かれ、三流体熱交換器５４によって加熱された暖房用水の少なくとも一部が熱交換器バイパス水路２０４を通過する。この際、さらに開閉弁２０６を閉じると、三流体熱交換器５４によって加熱された暖房用水の全流量が、第２浴槽熱交換器２００に供給されることなく、熱交換器バイパス水路２０４を通過する。
【００７９】
（低温暖房運転及び高温暖房運転）
低温暖房運転及び高温暖房運転を行う場合、制御装置９０は、開閉弁２０８を開き、開閉弁２０６を閉じる。これにより、低温暖房運転及び高温暖房運転では、三流体熱交換器５４によって加熱された暖房用水の全流量が、熱交換器バイパス水路２０４を通過する（第２浴槽熱交換器２００に供給されない）。ただし、低温暖房運転（又は高温暖房運転）と、湯張り運転（又は追い焚き運転）とが同時に実行される場合には、制御装置９０は、開閉弁２０６、２０８を同時に開くこともできる。
【００８０】
以上、本実施例の給湯暖房システム１０の構成及び運転内容について説明した。本実施例の給湯暖房システム１０は、図４に示すように、第２熱交換水路２０２に熱交換器バイパス水路２０４が形成されているとともに、第２熱交換水路２０２、熱交換器バイパス水路２０４に、それぞれ、開閉弁２０６、開閉弁２０８が介装されている。また、上記の通り、本実施例では、制御装置９０は、運転内容や運転状況に応じて、開閉弁２０６、２０８を開閉する。従って、本実施例では、運転内容や運転状況に応じて、適切に暖房用水の流路を決定することができる。暖房用水の熱量を効率良く利用することができる。
【００８１】
以上、各実施例について詳細に説明したが、これらは例示に過ぎず、特許請求の範囲を限定するものではない。特許請求の範囲に記載の技術には、以上に例示した具体例を様々に変形、変更したものが含まれる。
【００８２】
（変形例１）  上記の各実施例では、ＨＰモードで湯張り運転を行う場合、浴槽熱交換器（第１浴槽熱交換器８４、第２浴槽熱交換器２００）において、浴槽水循環路８９を通過する水を、湯張り設定温度まで加熱した上で、浴槽１０２に供給している。これに限られず、ＨＰモードで湯張り運転を行う場合に、浴槽熱交換器において、浴槽水循環路８９を通過する水を、湯張り設定温度まで加熱することなく、浴槽１０２に供給するようにしてもよい。その場合、浴槽１０２には、湯張り設定温度未満の温度の水が供給される。この場合、設定湯量の水が浴槽１０２に供給された後に、追い焚き運転を行って、浴槽水の温度を設定温度まで沸かし上げるようにしてもよい。同様に、通常モードで湯張り運転を行う場合にも、設定湯量の水が浴槽１０２に供給された後に、追い焚き運転を行って、浴槽水の温度を設定温度まで沸かし上げるようにしてもよい。
【００８３】
（変形例２）  上記の各実施例では、ＨＰモードで湯張り運転を行う場合、制御装置９０は、開閉弁３６ｄ、６６ｃ、６８ａ（、２０６）を開き、圧縮機５３及びファン５６を駆動するとともに、循環ポンプ８２を作動させ（図２のＳ１２）、湯張りと追い焚きを並行して行うようにしている。これに限られず、ＨＰモードで湯張り運転を行う場合に、制御装置９０は、循環ポンプ８２を作動させず、湯張りと平行して追い焚きを行わないようにしてもよい。この場合、設定湯量の水が浴槽１０２に供給された後に、必要に応じて追い焚き運転を行うようにしてもよい。
【００８４】
（変形例３）  上記の各実施例では、給湯路３６と第２導入路３４ｂの接続部には、開度を変化させて、タンク２２の上部から給湯路３６へ流入する高温の給湯用水の流量と、第２導入路３４ｂから給湯路３６へ流入する低温の水道水の流量の割合を調整する混合弁３６ａが介装されている。これに代えて、給湯路３６と第２導入路３４ｂの接続部に、単に第２導入路３４ｂを開閉する開閉弁を介装させてもよい。この場合、開閉弁を開いた場合の開度が予め決められていてもよい。この変形例における開閉弁も、請求項の「開閉弁」の一例である。
【００８５】
（変形例４）  上記の各実施例では、三流体熱交換器５４において、ヒートポンプユニット５０の冷媒と給湯用水との熱交換と、ヒートポンプユニット５０の冷媒と暖房用水との熱交換の双方を行う構成について説明した。これとは異なり、三流体熱交換器５４の代わりに通常の液／液熱交換器を２つ用意し、一方の熱交換器でヒートポンプユニット５０の冷媒と給湯用水との熱交換を行い、他方の熱交換器で、ヒートポンプユニット５０の冷媒と暖房用水との熱交換を行う構成としてもよい。あるいは、通常の液／液熱交換器を２つ用意し、一方の熱交換器でヒートポンプユニット５０の冷媒と給湯用水または暖房用水との熱交換を行い、他方の熱交換器で給湯用水と暖房用水との熱交換を行う構成としてもよい。
【００８６】
（変形例５）  上記の各実施例では、タンク２２に貯められた給湯用水が給湯栓１００や浴槽１０２に直接供給される構成、すなわち給湯用水として水道水などの上水を用いる構成について説明した。これとは異なり、タンク２２に貯める給湯用水として不凍液などを用いて、タンク２２に貯められた給湯用水と水道水との熱交換によって水道水を加熱し、高温となった水道水を給湯栓１００や浴槽１０２に供給する構成としてもよい。
【００８７】
（変形例６）  上記の第３実施例では、図４に示すように、第２熱交換水路２０２に熱交換器バイパス水路２０４が形成されているとともに、第２熱交換水路２０２、熱交換器バイパス水路２０４に、それぞれ、開閉弁２０６、開閉弁２０８が介装されている。この開閉弁２０６、２０８に代えて、熱交換器バイパス水路２０４の上流端に、調整弁を設けてもよい。この調整弁は、開度を変化させることによって、第２浴槽熱交換器２００を通過する暖房用水の流量と、熱交換器バイパス水路２０４を通過する暖房用水の流量の割合を変化させることができる弁である。制御装置９０は、運転内容や運転状況に応じて調整弁の開度を変化させ、第２浴槽熱交換器２００を通過する暖房用水の流量と、熱交換器バイパス水路２０４を通過する暖房用水の流量の割合を変化させることができる。
【００８８】
本明細書または図面に説明した技術要素は、単独であるいは各種の組合せによって技術的有用性を発揮するものであり、出願時の請求項記載の組合せに限定されるものではない。また、本明細書または図面に例示した技術は、複数目的を同時に達成するものであり、そのうちの一つの目的を達成すること自体で技術的有用性を持つものである。
【符号の説明】
【００８９】
１０：給湯暖房システム
２０：タンクユニット
２２：タンク
２３、２４、２５、２６：サーミスタ
３０：タンク水循環路
３２：循環ポンプ
３４：水道水導入路
３４ａ：第１導入路
３４ｂ：第２導入路
３４ｃ：逆止弁
３４ｄ：逆止弁
３６：給湯路
３６ａ：混合弁
３６ｂ：給湯栓水路
３６ｃ：湯張り水路
３６ｄ：開閉弁
３８：バーナ加熱装置
４０：バイパス路
４１：バイパス制御弁
５０：ヒートポンプユニット
５１：冷媒循環路
５２：空気熱交換器
５３：圧縮機
５４：三流体熱交換器
５５：膨張弁
５６：ファン
６０：暖房ユニット
６２：熱供給循環水路
６３：熱回収水路
６３ａ：熱交換器バイパス水路
６３ｂ：調整弁
６４：シスターン
６５：ポンプ水路
６５ａ：循環ポンプ
６６：低温暖房水路
６６ａ：開閉弁
６６ｂ：暖房バイパス水路
６６ｃ：開閉弁
６７：バーナ加熱水路
６７ａ：バーナ加熱装置
６８：熱交換水路（第１熱交換水路）
６８ａ：開閉弁
６９：第１高温暖房水路
６９ａ：開閉弁
７０：第２高温暖房水路
７０ａ：開閉弁
７１：バイパス水路
８２：循環ポンプ
８４：浴槽熱交換器（第１浴槽熱交換器）
８５：サーミスタ
８６：サーミスタ
８９：浴槽水循環路
９０：制御装置
１００：給湯栓
１０２：浴槽
１０４：低温暖房機
１０６：高温暖房機
１１０：水道水供給源
２００：第２浴槽熱交換器
２０２：第２熱交換水路
２０４：熱交換器バイパス水路
２０６：開閉弁
２０８：開閉弁
【図１】
2014163663.tif 000003
【図２】
2014163663.tif 000004
【図３】
2014163663.tif 000005
【図４】
2014163663.tif 000006